(57)【要約】【課題】壁面に対する棚板の角度を容易に切り替えることができ、利便性を向上できると共に、簡潔な外観で美観を向上させた棚を提供することを目的とする。【解決手段】本発明にかかる棚１００は、壁面１０２に取り付けられる棚であって、壁面に固定される２つ以上のブラケット１０４、１０６と、ブラケットに着脱可能に取り付けられる棚板１０８とを有し、ブラケットには、角度の異なる複数のレール１３４、１３６が設けられていて、棚板には、ブラケットのレールに引っ掛けられる引掛け部１２０が設けられていることを特徴とする。【選択図】図５
2018201680.tif 000002
【特許請求の範囲】
【請求項１】
壁面に取り付けられる棚であって、
壁面に固定される２つ以上のブラケットと、
前記ブラケットに着脱可能に取り付けられる棚板とを有し、
前記ブラケットには、角度の異なる複数の支持部が設けられていて、
前記棚板には、前記ブラケットの前記支持部に引っ掛けられる引掛け部が設けられていることを特徴とする棚。
【請求項２】
前記ブラケットの支持部はレールであり、
前記棚板の引掛け部は、前記棚板の側端に位置していて、前記支持部の一端に廻り込むように屈曲した鉤部と、前記支持部の他端に屈曲してかぶさる屈曲部とを含み、
前記支持部の１つは、水平に近い角度であり、
前記支持部の１つは、壁から離れる方向である手前側に向かって上方に大きく傾斜していることを特徴とする請求項１に記載の棚。
【請求項３】
前記支持部の１つは、壁側に向かって上方に大きく傾斜していることを特徴とする請求項１または２に記載の棚。
【請求項４】
前記棚板の壁側に、転落防止用の保持部材が設けられていることを特徴とする請求項１から３のいずれか１項に記載の棚。
【請求項５】
前記レールに代えて、
前記レールの両端の位置に配置された第１突起部および第２突起部を備えたことを特徴とする請求項２から４のいずれか１項に記載の棚。
【発明の詳細な説明】
【技術分野】
【０００１】
本発明は、壁面に取り付けられる棚に関する。
【背景技術】
【０００２】
従来から、支柱などを含む壁面には、各種物品を収納あるいは陳列するために、備え付けの棚が設けられている。このような棚としては、壁面に対する棚板の角度を切り替えられるものが知られている（例えば、特許文献１）。
【０００３】
特許文献１には、左右に立設した支柱と、支柱に取り付けられる支持ブラケットと、支持ブラケットに支持される棚板とを備えた棚板の支持構造が開示されている。この構造では、支柱の前面に設けられた係止孔に、支持ブラケットの後端部に形成されたフックを係止している。さらにこの構造では、支持ブラケットの後端縁下部に角度調整部材を回転可能に装着し、この角度調整部材を回転させることで、支持ブラケットの後端縁と支柱の前面との間の距離を変化させ、支持ブラケットの支柱に対する傾斜角度を調整している。
【先行技術文献】
【特許文献】
【０００４】
【特許文献１】特開２００６−８７７９４号公報
【発明の概要】
【発明が解決しようとする課題】
【０００５】
しかし特許文献１に記載の構造では、傾斜角度を調整するためには、支持ブラケットとは別部品である角度調整部材を支持ブラケットに回転可能に装着する作業、さらには角度調整部材を回転させる作業も必要となり、また、それらの作業も容易ではない。さらに、角度調整部材の機構が露出するため、外観上も無骨な印象を与えてしまう。
【０００６】
本発明は、このような課題に鑑み、壁面に対する棚板の角度を容易に切り替えることができ、利便性を向上できると共に、簡潔な外観で美観を向上させた棚を提供することを目的としている。
【課題を解決するための手段】
【０００７】
上記課題を解決するために、本発明にかかる棚の代表的な構成は、壁面に取り付けられる棚であって、壁面に固定される２つ以上のブラケットと、ブラケットに着脱可能に取り付けられる棚板とを有し、ブラケットには、角度の異なる複数の支持部が設けられていて、棚板には、ブラケットの支持部に引っ掛けられる引掛け部が設けられていることを特徴とする。
【０００８】
上記構成によれば、壁面に固定されたブラケットは、角度の異なる複数の支持部を有している。一方、棚板は、ブラケットの支持部に引掛け部を引っ掛けることで、ブラケットに着脱可能に取り付けられる。したがって、棚板の引掛け部を引っ掛ける支持部を異ならせるだけで、壁面に対する棚板の角度を容易に切り替えることができ、利便性を向上できる。また、機械的な角度調整機構がないため、簡潔な外観で高い美観を備えることができる。
【０００９】
上記のブラケットの支持部はレールであり、棚板の引掛け部は、棚板の側端に位置していて、支持部の一端に廻り込むように屈曲した鉤部と、支持部の他端に屈曲してかぶさる屈曲部とを含み、支持部の１つは、水平に近い角度であり、支持部の１つは、壁から離れる方向である手前側に向かって上方に大きく傾斜しているとよい。引掛け部は、支持部の一端に鉤部を廻り込ませ、さらに支持部の他端に屈曲部を当接させることで、支持部に引っ掛けられる。鉤部と屈曲部で支持部を挟むため、棚板の移動を規制することができる。水平に近い角度の支持部に引掛け部を引っ掛けると、棚板をほぼ水平に支持できる。また大きく傾斜した支持部に引掛け部を引っ掛けると、棚板を大きな傾斜角で支持できる。大きく傾斜した支持部に棚板を取り付ける際には、鉤部を上側に配置すると外れにくいため安定する。なお、「水平に近い角度」とは、ほぼ水平であるが、水切りのために壁側に向かって若干下がる角度である。
【００１０】
上記の支持部の１つは、壁側に向かって上方に大きく傾斜しているとよい。これにより、ブラケットには、３つの支持部、すなわち水平に近い角度の支持部、手前側に向かって上方に大きく傾斜した角度の支持部、さらには壁側に向かって上方に大きく傾斜した角度の支持部が設けられている。このため、ブラケットの３つの支持部のいずれかに引掛け部を引っ掛けて棚板を支持することで、壁面に対する棚板の角度を３つの角度のいずれかに容易に切り替えることができる。
【００１１】
上記の棚板の壁側に、転落防止用の保持部材が設けられているとよい。これにより、棚板がブラケットにほぼ水平に支持されている場合、保持部材が棚板の上側に配置されるため、棚板と壁との隙間から物品が転落することを防止することができる。また棚板が手前側に向かって上方に傾斜するようにブラケットに支持されている場合、保持部材によって物品の底を支持することができる。これにより物品を斜めに保持して、水切りを行うことができる。さらに棚板が壁側に向かって上方に傾斜するようにブラケットに支持されている場合、保持部材は各種物品を斜めに収納あるいは陳列するとともに、水切りも行うことができる。
【００１２】
上記のレールに代えて、レールの両端の位置に配置された第１突起部および第２突起部を備えるとよい。レールに代えて突起部にすることにより、ブラケットの軽量化および低価格化を図ることができる。
【発明の効果】
【００１３】
本発明によれば、壁面に対する棚板の角度を容易に切り替えることができ、利便性を向上できると共に、簡潔な外観で美観を向上させた棚を提供することができる。
【図面の簡単な説明】
【００１４】
【図１】本発明の第１実施形態における棚を示す図である。
【図２】棚の分解斜視図である。
【図３】ブラケットを拡大して示す図である。
【図４】壁固定部材を拡大して示す図である。
【図５】棚が組み立てられる様子を示す図である。
【図６】図１の棚とは棚板の置き方を変えたスタイルの棚が組み立てられる様子を示す図である。
【図７】本発明の第２実施形態における棚を示す図である。
【図８】本発明の第３実施形態における棚を示す図である。
【発明を実施するための形態】
【００１５】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１６】
（第１実施形態）
図１は、本発明の第１実施形態における棚１００を示す図である。図２は棚１００の分解斜視図である。図１に示す棚１００は、例えば浴室の壁面１０２などに取付けられ、各種物品を収納あるいは陳列するために用いられる。棚１００は、図２に示すように、左右一対の２つのブラケット１０４、１０６と、ブラケット１０４、１０６に着脱可能に取り付けられる棚板１０８とを有する。なお棚１００が取付けられる壁面１０２は、ブラケット１０４、１０６に対応する位置に立設された支柱であってもよい。
【００１７】
また棚１００が取付けられる壁面１０２には、ブラケット１０４、１０６を取付け可能であって、同一の構造を有する２つの壁固定部材１１０が固定されている。つまりブラケット１０４、１０６は、壁固定部材１１０を介して図１に示す壁面１０２に取り付けられる。なおブラケット１０４、１０６は、左右対称の構造を有していて機能等が同様であるので、以下ではブラケット１０６の説明を適宜省略する。
【００１８】
棚板１０８には、図示のように、その側端１１２、１１４に沿って左右一対の２つのサイドキャップ１１６、１１８が取付けられている。サイドキャップ１１６、１１８には、同一の構造を有する引掛け部１２０がそれぞれ設けられている（図２および図５参照）。引掛け部１２０は、壁面１０２から離れる方向である手前側に形成された鉤部１２２と、壁側に形成された屈曲部１２４とを含む（後述）。
【００１９】
また棚板１０８には、サイドキャップ１１６、１１８を介して各種物品の転落防止用の保持部材であるパイプ１２６が取付けられている。サイドキャップ１１６、１１８は、図示のように、パイプ１２６を支持する柱状部材１２８、１３０を有する。パイプ１２６は、柱状部材１２８、１３０に支持されることで、図１に示すように棚板１０８の壁側に位置していて、さらに棚板１０８の上面１３２から離間している。
【００２０】
図３はブラケット１０４を拡大して示す図である。ブラケット１０４には、図３（ａ）に示すように、角度の異なる複数（ここでは、２つ）の支持部としてのレール１３４、１３６が設けられている。
【００２１】
レール１３４、１３６は、ブラケット１０４の側壁１３８にそれぞれ設けられている。レール１３４は、水平に近い角度で延びている。なお水平に近い角度とは、ほぼ水平であるが、水切りのために壁側に向かって若干下がる角度である。レール１３６は、手前側に向かって上方に大きく傾斜した角度で延びている。
【００２２】
またブラケット１０４には、水平に近い角度でリブが延びていて下面１４０を形成している。ブラケット１０４の壁側には、リブ１４２が上下方向に延びていて、壁固定部材１１０に取付けられる取付面１４４を形成している。取付面１４４には、図３（ｂ）に示すように、下方が開放された切欠部１４６が形成されている。切欠部１４６は、壁固定部材１１０の凹部１４８（図４（ｂ）参照）に嵌合可能である。
【００２３】
図４は壁固定部材１１０を拡大して示す図である。壁固定部材１１０は、図４（ａ）に示すように、壁面１０２に接する土台部１５０と、土台部１５０の手前側に配置された固定部１５２と、土台部１５０と固定部１５２との間に形成された凹部１４８とを有する。
【００２４】
固定部１５２は、その内部に穴１５４、１５６が設けられている。壁固定部材１１０は、不図示のネジなどを穴１５４、１５６に挿通して壁面１０２に固定される。また固定部１５２には、図４（ａ）に示すキャップ１５８が手前側から被せられることで、その内部が視認されず、美観が損なわれない。
【００２５】
図４（ｂ）に示す壁固定部材１１０の凹部１４８は、テーパー状となっている。凹部１４８にブラケット１０４の切欠部１４６を上方から下方にスライドして係合させることにより、がたつきを防止できる。このようにして、ブラケット１０４は、壁固定部材１１０を介して壁面１０２に安定して固定される。
【００２６】
図５は棚１００が組み立てられる様子を示す図である。まず、サイドキャップ１１６の引掛け部１２０の鉤部１２２を、ブラケット１０４のレール１３４の手前側の一端１６０に対して位置合わせする。そして図５（ａ）に示すように鉤部１２２を、レール１３４の一端１６０に廻り込ませる。
【００２７】
つぎに、引掛け部１２０の屈曲部１２４を、レール１３４の壁側の他端１６２に向かって移動させ、図５（ｂ）に示すように、他端１６２にかぶせて当接させる。つまり引掛け部１２０では、鉤部１２２がレール１３４の一端１６０に廻り込むように屈曲していて、屈曲部１２４がレール１３４の他端１６２にかぶさるように屈曲している。
【００２８】
これにより、引掛け部１２０は、図５（ｂ）に示すように、鉤部１２２と屈曲部１２４で、水平に近い角度で延びるレール１３４を挟み込む。このようにして、サイドキャップ１１６は、引掛け部１２０がレール１３４に引っ掛けられるため、棚板１０８の移動を規制できる。
【００２９】
したがって棚１００では、図５（ｂ）に示すように棚板１０８をほぼ水平に支持可能となり、この場合に棚板１０８がブラケット１０４から脱落することを防止でき、ブラケット１０４に棚板１０８を安定して取り付けることができる。このため、棚１００では、棚板１０８に各種物品を安定して収納あるいは陳列できる（以下、フラットスタイルと称する）。
【００３０】
また棚１００では、棚板１０８を水平に支持した状態でパイプ１２６が壁側に位置するため、各種物品が壁側から転落することを防止でき、利便性を高めることができる。なおフラットスタイルでの棚板１０８の置き方については、これに限定されない。一例として、棚板１００において、棚板１０８を水平に支持した状態でパイプ１２６が手前側に位置するように、棚板１０８を設置してもよい。このようにすれば、各種物品が手前側から転落することを防止でき、利便性を高めることができる。
【００３１】
図６は、図１の棚１００とは棚板１０８の置き方を変えたスタイルの棚１００Ａが組み立てられる様子を示す図である。棚１００Ａでは、ブラケット１０４のほぼ水平のレール１３４に代えて、傾斜したレール１３６にサイドキャップ１１６の引掛け部１２０を引っ掛けて、ブラケット１０４に棚板１０８を取り付けている。
【００３２】
棚１００Ａを組み立てる場合、まず、サイドキャップ１１６の引掛け部１２０の鉤部１２２を、ブラケット１０４のレール１３６の手前側の一端１６４に対して位置合わせする。そして図６（ａ）に示すように鉤部１２２を、レール１３６の一端１６４に廻り込ませる。つぎに、引掛け部１２０の屈曲部１２４を、レール１３６の壁側の他端１６６に向かって移動させ、図６（ｂ）に示すように、他端１６６にかぶせて当接させる。
【００３３】
これにより、引掛け部１２０は、図６（ｂ）に示すように、鉤部１２２と屈曲部１２４で、手前側に向かって上方に大きく傾斜しているレール１３６を挟み込む。このようにして、サイドキャップ１１６は、引掛け部１２０がレール１３６に引っ掛けられるため、棚板１０８の移動を規制できる。
【００３４】
したがって棚１００Ａでは、図６（ｂ）に示すように棚板１０８を手前側に向かって上方に傾斜するように支持可能となり、この場合にブラケット１０４に棚板１０８を安定して取り付けることができる。特に、引掛け部１２０のうち鉤部１２２を上側に配置しているため、大きく傾斜したレール１３６に棚板１０８を取り付ける際に、棚板１０８が外れ難いため安定する。
【００３５】
また棚１００Ａでは、パイプ１２６が各種物品１６８の底１７０を受けることができるため、各種物品１６８を収納するだけでなく水切りを行うことができる（以下、水切りスタイルと称する）。
【００３６】
（第２実施形態）
図７は、本発明の第２実施形態における棚２００を示す図である。棚２００は、左右一対のブラケット２０２の側壁２０４に、上記レール１３４、１３６に加え、レール２０６が設けられている点で、上記ブラケット１０４、１０６を有する棚１００と異なる。
【００３７】
レール２０６は、レール１３４、１３６よりも手前側に位置していて、壁側に向かって上方に大きく傾斜している。ブラケット２０２は、これら３本のレール１３４、１３６、２０６を設けることで、例えば図５（ａ）に示すブラケット１０４に比べると、側壁２０４および下面２０８が手前側に延長された形状を有する。
【００３８】
棚２００では、ブラケット２０２に３本のレール１３４、１３６、２０６が設けられていることで、上記フラットスタイル（図５（ｂ）参照）、水切りスタイル（図６（ｂ）参照）に加え、水切りディスプレイスタイルの棚も得ることができる。
【００３９】
以下、水切りディスプレイスタイルについて説明する。ここで水切りディスプレイスタイルにおいては、棚板１０８を左右反転させた状態でブラケット２０２に取り付ける。このため、図５、図６ではサイドキャップ１１６が図示されていたところ、図７では反対側のサイドキャップ１１８を図示している。
【００４０】
水切りディスプレイスタイルの棚２００を組み立てる場合、まず、サイドキャップ１１８の引掛け部１２０の鉤部１２２を、ブラケット２０２のレール２０６の壁側の一端２１０に対して位置合わせする。つぎに、図示は省略するが、引掛け部１２０の鉤部１２２をレール２０６の一端２１０に廻り込ませ、続いて屈曲部１２４を、レール２０６の手前の他端２１２に向かって移動させ、他端２１２にかぶせて当接させる。
【００４１】
これにより、引掛け部１２０は、鉤部１２２と屈曲部１２４で、壁側に向かって上方に大きく傾斜しているレール２０６を挟み込む。このようにして、サイドキャップ１１８は、引掛け部１２０がレール２０６に引っ掛けられるため、棚板１０８の移動を規制できる。
【００４２】
したがって棚２００は、棚板１０８を壁側に向かって上方に傾斜するように支持可能となり、この場合にブラケット２０２に棚板１０８を安定して取り付けることができる。特に、引掛け部１２０のうち鉤部１２２を上側に配置しているため、大きく傾斜したレール２０６に棚板１０８を取り付ける際に、棚板１０８が外れ難いため安定する。
【００４３】
また棚２００では、図示のようにタブレット２１４などをパイプ１２６により支持し、これを斜めに陳列するとともに、水切りも行うことができる。
【００４４】
（第３実施形態）
図８は、本発明の第２実施形態における棚３００を示す図である。棚３００は、左右一対のブラケット３０２、３０４の側壁３０６に、上記レール１３４に代えて、支持部としての第１突起部３０８ａおよび第２突起部３０８ｂが設けられている点、上記レール１３６に代えて、支持部としての第１突起部３１０ａおよび第２突起部３１０ｂが設けられている点で、上記ブラケット１０４、１０６を有する棚１００と異なる。
【００４５】
第１突起部３０８ａ、第２突起部３０８ｂの位置は、レール１３４の手前側の一端１６０、壁側の他端１６２の位置にそれぞれ対応している。このため、第１突起部３０８ａと第２突起部３０８ｂとを結んだ方向は、レール１３４と同様に水平に近い方向となる。
【００４６】
また第１突起部３１０ａ、第２突起部３１０ｂの位置は、レール１３６の手前側の一端１６４、壁側の他端１６６の位置にそれぞれ対応している。このため、第１突起部３１０ａと第２突起部３１０ｂとを結んだ方向は、レール１３６と同様に手前側に向かって上方に大きく傾斜した方向となる。
【００４７】
したがって棚３００では、ブラケット３０２、３０４に、支持部としての第１突起部３０８ａ、第２突起部３０８ｂ、および、第１突起部３１０ａ、第２突起部３１０ｂが設けられていることで、上記フラットスタイル、水切りスタイルの棚を得ることができる。
【００４８】
フラットスタイルにおいては、サイドキャップ１１６の引掛け部溝１２０の鉤部１２２を、ブラケット３０２の第１突起部３０８ａに廻り込ませ、続いて屈曲部１２４を、第２突起部３０８ｂに向かって移動させ、第２突起部３０８ｂにかぶせて当接させる。これにより、引掛け部１２０は、鉤部１２２と屈曲部１２４で、水平に近い方向に並ぶ第１突起部３０８ａおよび第２突起部３０８ｂに引っ掛けられる。
【００４９】
このようにして、棚３００は、棚板１０８をほぼ水平に支持したフラットスタイルとなり（図５（ｂ）参照）、棚板１０８に各種物品を安定して収納あるいは陳列できる。
【００５０】
水切りスタイルにおいては、サイドキャップ１１６の引掛け部溝１２０の鉤部１２２を、ブラケット３０２の第１突起部３１０ａに廻り込ませ、続いて屈曲部１２４を、第２突起部３１０ｂに向かって移動させ、第２突起部３１０ｂにかぶせて当接させる。これにより、引掛け部１２０は、鉤部１２２と屈曲部１２４で、手前側に向かって上方に大きく傾斜した方向に並ぶ第１突起部３１０ａおよび第２突起部３１０ｂに引っ掛けられる。
【００５１】
このようにして、棚３００は、棚板１０８を手前側に向かって上方に傾斜するように支持した水切りスタイルとなり（図６（ｂ）参照）、棚板１０８に各種物品を収納するだけでなく、パイプ１２６が各種物品の底を受けることで水切りも行うことができる。
【００５２】
特に棚３００では、レール１３４、１３６に代えて、これらのレール１３４、１３６の両端に位置する第１突起部３０８ａ、３１０ａ、第２突起部３０８ａ、３１０ｂを設けているため、ブラケット３０２、３０４の軽量化および低価格化を図ることができる。
【００５３】
このように上記各実施形態では、各ブラケット１０４、１０６、２０２、３０２、３０４に、支持部として角度の異なる複数のレール１３４、１３６、２０６、あるいは、各レールに代えて、第１突起部３０８ａ、３１０ａ、第２突起部３０８ａ、３１０ｂが設けられていて、これらの各レール、各突起部に引っ掛けられる引掛け部１２０がサイドキャップ１１６、１１８に設けられている。
【００５４】
したがって、各実施形態によれば、引掛け部１２０に引っ掛けられる支持部としての各レール、各突起部を異ならせるだけで、壁面１０２に対する棚板１０８の角度を容易に切り替えることができ、利便性を向上できる。さらに、機械的な角度調整機構がないため、簡潔な外観で高い美観を備えた棚１００、１００Ａ、２００、３００を得ることができる。
【００５５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５６】
本発明は、壁面に取り付けられる棚に利用することができる。
【符号の説明】
【００５７】
１００、１００Ａ、２００、３００…棚、１０２…壁面、１０４、１０６、２０２、３０２、３０４…ブラケット、１０８…棚板、１１０…壁固定部材、１１２、１１４…棚板の側端、１１６、１１８…サイドキャップ、１２０…引掛け部、１２２…引掛け部の鉤部、１２４…引掛け部の屈曲部、１２６…パイプ、１２８、１３０…柱状部材、１３２…棚板の上面、１３４、１３６、２０６…レール、１３８、２０４、３０６…ブラケットの側壁、１４０、２０８…ブラケットの下面、１４２…ブラケットのリブ、１４４…取付面、１４６…切欠部、１４８…壁固定部材の凹部、１５０…土台部、１５２…固定部、１５４、１５６…穴、１５８…キャップ、１６０、１６４、２１０…レールの一端、１６２、１６６、２１２…レールの他端、１６８…各種物品、１７０…各種物品の底、２１４…タブレット、３０８ａ、３１０ａ…第１突起部、３０８ｂ、３１０ｂ…第２突起部
【図１】
2018201680.tif 000003
【図２】
2018201680.tif 000004
【図３】
2018201680.tif 000005
【図４】
2018201680.tif 000006
【図５】
2018201680.tif 000007
【図６】
2018201680.tif 000008
【図７】
2018201680.tif 000009
【図８】
2018201680.tif 000010